(57)【要約】【課題】安価に製造することができ、容易に分解することができるジョイントコネクタを提供する。【解決手段】ジョイントコネクタ１Ａは、同一形状の２つの分割ハウジング２０Ａで構成され複数の雌端子を収容するハウジング２Ａと、雌端子同士を互いに電気接続するバスバ４と、分割ハウジング２０Ａ同士を固定する固定手段とを備えている。バスバ４には、本体部４１と、本体部４１の互いに対向する二辺から延設され各雌端子と接続する複数の雄端子部４２とが設けられている。分割ハウジング２０Ａには、複数の端子収容部２１と、複数の端子収容部２１に連通するとともにこれら端子収容部２１と反対側に開口部２３ａが形成され、本体部４１の半分を収容するバスバ収容部２３とが設けられている。前記固定手段は、雄端子部４２に設けられた突起４３であり、突起４３が分割ハウジング２０Ａに係止することにより分割ハウジング２０Ａ同士が固定される。【選択図】図２
2012099249.tif 000002
【特許請求の範囲】
【請求項１】
複数の雌端子を収容するハウジングと、前記複数の雌端子同士を互いに電気接続するバスバと、を備えたジョイントコネクタにおいて、
前記バスバに、板状の本体部と、該本体部の互いに対向する二辺からそれぞれ延設され、前記各雌端子と電気接続する複数の雄端子部と、が設けられ、
前記ハウジングが、同一形状の２つの分割ハウジングで構成され、
前記各分割ハウジングには、前記複数の雌端子をそれぞれ収容するとともに前記雌端子の幅方向に並んだ複数の端子収容部と、前記複数の端子収容部に連通するとともにこれら端子収容部と反対側に開口部が形成され、前記本体部の半分を収容するバスバ収容部と、が設けられ、
前記分割ハウジング同士を前記開口部同士を向かい合わせにした状態で固定する固定手段を備えている
ことを特徴とするジョイントコネクタ。
【請求項２】
前記固定手段が、前記複数の雄端子部それぞれに設けられた突起であり、これら突起が前記分割ハウジングに係止することにより前記分割ハウジング同士が固定される
ことを特徴とする請求項１に記載のジョイントコネクタ。
【請求項３】
前記固定手段が、前記複数の雄端子部であり、これら雄端子部が前記分割ハウジングに圧入されることにより前記分割ハウジング同士が固定される
ことを特徴とする請求項１に記載のジョイントコネクタ。
【請求項４】
前記２つの分割ハウジングにそれぞれ取り付けられて前記雌端子の抜け止めを行う同一形状の一対のスペーサをさらに備え、
前記固定手段が、前記一対のスペーサそれぞれに設けられたロックアームであり、一方の分割ハウジングに取り付けられた前記スペーサの前記ロックアームが他方の分割ハウジングに係止することにより前記分割ハウジング同士が固定される
ことを特徴とする請求項１に記載のジョイントコネクタ。
【請求項５】
前記固定手段が、一方の分割ハウジングに係止する第１係止部、及び、他方の分割ハウジングに係止する第２係止部が設けられたパネルクランプであり、該パネルクランプの前記第１係止部及び前記第２係止部が前記２つの分割ハウジングに係止することにより前記分割ハウジング同士が固定される
ことを特徴とする請求項１に記載のジョイントコネクタ。
【請求項６】
前記２つの分割ハウジングに、相手の分割ハウジングの一部に重なるフードが設けられている
ことを特徴とする請求項１ないし請求項５のうち１項に記載のジョイントコネクタ。
【発明の詳細な説明】
【技術分野】
【０００１】
本発明は、複数の雌端子同士を互いに電気接続するジョイントコネクタに関するものである。
【背景技術】
【０００２】
図２８は、従来のジョイントコネクタを示す斜視図である。また、図２９は、図２８に示されたジョイントコネクタの分解図である。このジョイントコネクタ２０１は、複数の電線６の端末にそれぞれ取り付けられた複数の雌端子５同士を互いに電気接続するものである。このジョイントコネクタ２０１は、合成樹脂製のハウジング２０２と、このハウジング２０２内にインサート成形されたバスバ２０４と、を備えている。
【０００３】
上記ハウジング２０２には、複数の雌端子５をそれぞれ収容する複数の端子収容部２２１と、各端子収容部２２１に収容された各雌端子５の抜け止めをそれぞれ行う複数の係止アームと、が設けられている。
【０００４】
上記バスバ２０４には、板状の本体部２４１と、該本体部２４１の互いに対向する二辺からそれぞれ延設され、各雌端子５と電気接続する複数の雄端子部２４２と、が設けられている。即ち、このジョイントコネクタ２０１は、両方向から雌端子５が挿入される、両挿タイプのジョイントコネクタである（特許文献１を参照。）。
【先行技術文献】
【特許文献】
【０００５】
【特許文献１】特開２０１０−８６８０１号公報
【発明の概要】
【発明が解決しようとする課題】
【０００６】
上述した従来のジョイントコネクタ２０１においては、以下に示す問題があった。即ち、上述したジョイントコネクタ２０１は、バスバ２０４がハウジング２０２内にインサート成形されているので、分解が非常に困難であるという問題があった。また、上述したジョイントコネクタ２０１は、両挿タイプであることから、ハウジング内形状が複雑であり、特殊な成形金型が必要となってコストがかかるという問題があった。さらに、上述したジョイントコネクタ２０１は、両挿タイプであることから、分解時に、係止アームの雌端子５への係止を解除する治具を端子収容部２２１内に挿入することができず、雌端子５をハウジング２０２外に引き抜くことが非常に困難であるという問題があった。
【０００７】
したがって、本発明は、安価に製造することができ、容易に分解することができるジョイントコネクタを提供することを目的とする。
【課題を解決するための手段】
【０００８】
上記目的を達成するために請求項１に記載された発明は、複数の雌端子を収容するハウジングと、前記複数の雌端子同士を互いに電気接続するバスバと、を備えたジョイントコネクタにおいて、前記バスバに、板状の本体部と、該本体部の互いに対向する二辺からそれぞれ延設され、前記各雌端子と電気接続する複数の雄端子部と、が設けられ、前記ハウジングが、同一形状の２つの分割ハウジングで構成され、前記各分割ハウジングには、前記複数の雌端子をそれぞれ収容するとともに前記雌端子の幅方向に並んだ複数の端子収容部と、前記複数の端子収容部に連通するとともにこれら端子収容部と反対側に開口部が形成され、前記本体部の半分を収容するバスバ収容部と、が設けられ、前記分割ハウジング同士を前記開口部同士を向かい合わせにした状態で固定する固定手段を備えていることを特徴とするジョイントコネクタである。
【０００９】
請求項２に記載された発明は、請求項１に記載された発明において、前記固定手段が、前記複数の雄端子部それぞれに設けられた突起であり、これら突起が前記分割ハウジングに係止することにより前記分割ハウジング同士が固定されることを特徴とするものである。
【００１０】
請求項３に記載された発明は、請求項１に記載された発明において、前記固定手段が、前記複数の雄端子部であり、これら雄端子部が前記分割ハウジングに圧入されることにより前記分割ハウジング同士が固定されることを特徴とするものである。
【００１１】
請求項４に記載された発明は、請求項１に記載された発明において、前記２つの分割ハウジングにそれぞれ取り付けられて前記雌端子の抜け止めを行う同一形状の一対のスペーサをさらに備え、前記固定手段が、前記一対のスペーサそれぞれに設けられたロックアームであり、一方の分割ハウジングに取り付けられた前記スペーサの前記ロックアームが他方の分割ハウジングに係止することにより前記分割ハウジング同士が固定されることを特徴とするものである。
【００１２】
請求項５に記載された発明は、請求項１に記載された発明において、前記固定手段が、一方の分割ハウジングに係止する第１係止部、及び、他方の分割ハウジングに係止する第２係止部が設けられたパネルクランプであり、該パネルクランプの前記第１係止部及び前記第２係止部が前記２つの分割ハウジングに係止することにより前記分割ハウジング同士が固定されることを特徴とするものである。
【００１３】
請求項６に記載された発明は、請求項１ないし請求項５のうち１項に記載された発明において、前記２つの分割ハウジングに、相手の分割ハウジングの一部に重なるフードが設けられていることを特徴とするものである。
【発明の効果】
【００１４】
請求項１に記載された発明によれば、前記バスバに、板状の本体部と、該本体部の互いに対向する二辺からそれぞれ延設され、前記各雌端子と電気接続する複数の雄端子部と、が設けられ、前記ハウジングが、同一形状の２つの分割ハウジングで構成され、前記各分割ハウジングには、前記複数の雌端子をそれぞれ収容するとともに前記雌端子の幅方向に並んだ複数の端子収容部と、前記複数の端子収容部に連通するとともにこれら端子収容部と反対側に開口部が形成され、前記本体部の半分を収容するバスバ収容部と、が設けられ、前記分割ハウジング同士を前記開口部同士を向かい合わせにした状態で固定する固定手段を備えているので、両挿タイプでありながらも特殊な成形金型を必要とせず、製造コストを抑えることができる。また、２つの分割ハウジングが同一形状であるので、成形金型の開発コストを抑えることができる。また、互いに固定された２つの分割ハウジングを分離させることができるので、これら分割ハウジングとバスバとを分離させることができる。さらに、２つの分割ハウジングを分離させることで、係止アームの雌端子への係止を解除する係止解除治具を開口部から端子収容部内に挿入することができるようになり、分割ハウジングから雌端子を容易に引き抜くことができる。よって、安価に製造することができ、容易に分解することができるジョイントコネクタを提供することができる。
【００１５】
請求項２に記載された発明によれば、前記固定手段が、前記複数の雄端子部それぞれに設けられた突起であり、これら突起が前記分割ハウジングに係止することにより前記分割ハウジング同士が固定されるので、簡素な構造のジョイントコネクタを提供することができる。
【００１６】
請求項３に記載された発明によれば、前記固定手段が、前記複数の雄端子部であり、これら雄端子部が前記分割ハウジングに圧入されることにより前記分割ハウジング同士が固定されるので、簡素な構造のジョイントコネクタを提供することができる。
【００１７】
請求項４に記載された発明によれば、前記２つの分割ハウジングにそれぞれ取り付けられて前記雌端子の抜け止めを行う同一形状の一対のスペーサをさらに備え、前記固定手段が、前記一対のスペーサそれぞれに設けられたロックアームであり、一方の分割ハウジングに取り付けられた前記スペーサの前記ロックアームが他方の分割ハウジングに係止することにより前記分割ハウジング同士が固定されるので、スペーサの成形金型の開発コストを抑えることができ、かつ、簡素な構造のジョイントコネクタを提供することができる。
【００１８】
請求項５に記載された発明によれば、前記固定手段が、一方の分割ハウジングに係止する第１係止部、及び、他方の分割ハウジングに係止する第２係止部が設けられたパネルクランプであり、該パネルクランプの前記第１係止部及び前記第２係止部が前記２つの分割ハウジングに係止することにより前記分割ハウジング同士が固定されるので、簡素な構造のジョイントコネクタを提供することができる。
【００１９】
請求項６に記載された発明によれば、前記２つの分割ハウジングに、相手の分割ハウジングの一部に重なるフードが設けられているので、これら分割ハウジング内に異物が入ることを防止できる。
【図面の簡単な説明】
【００２０】
【図１】本発明の第１の実施形態にかかるジョイントコネクタを示す斜視図である。
【図２】図１に示されたジョイントコネクタの分解図である。
【図３】図１に示されたジョイントコネクタの組み立て方法を説明する説明図であり、バスバが２つの分割ハウジング内に収容される様子を示す図である。
【図４】図１に示されたジョイントコネクタの組み立て方法を説明する説明図であり、図３に示された２つの分割ハウジング内に雌端子が挿入される様子を示す図である。
【図５】図１に示されたジョイントコネクタの構成部品により構成される他のジョイントコネクタの分解図である。
【図６】図５に示されたジョイントコネクタの製造方法を説明する説明図であり、図２に示されたバスバを切断する様子を示す図である。
【図７】図５に示されたジョイントコネクタの組み立て方法を説明する説明図であり、図２に示された１つの分割ハウジング内に２分割されたバスバが収容される様子を示す図である。
【図８】図５に示されたジョイントコネクタの組み立て方法を説明する説明図であり、図７に示された１つの分割ハウジング内に雌端子が挿入される様子を示す図である。
【図９】本発明の第２の実施形態にかかるジョイントコネクタを示す斜視図である。
【図１０】図９に示されたジョイントコネクタの分解図である。
【図１１】図９に示されたジョイントコネクタの組み立て方法を説明する説明図であり、バスバが２つの分割ハウジング内に収容される様子を示す図である。
【図１２】図９に示されたジョイントコネクタの組み立て方法を説明する説明図であり、図１１に示されたバスバが２つの分割ハウジング内に収容された状態を示す図である。
【図１３】図９に示されたジョイントコネクタの組み立て方法を説明する説明図であり、図１２に示された２つの分割ハウジング内に雌端子が挿入される様子を示す図である。
【図１４】本発明の第３の実施形態にかかるジョイントコネクタを示す分解図である。
【図１５】図１４に示されたジョイントコネクタの組み立て方法を説明する説明図であり、各スペーサが各分割ハウジングに仮係止される様子を示す図である。
【図１６】図１４に示されたジョイントコネクタの組み立て方法を説明する説明図であり、バスバが図１５に示された２つの分割ハウジング内に収容される様子を示す図である。
【図１７】図１４に示されたジョイントコネクタの組み立て方法を説明する説明図であり、図１６に示された２つの分割ハウジング内に雌端子が挿入される様子を示す図である。
【図１８】図１４に示されたジョイントコネクタの組み立て方法を説明する説明図であり、図１７に示された各スペーサが本係止される様子を示す図である。
【図１９】図１４に示されたジョイントコネクタの組み立て方法を説明する説明図であり、図１８に示された各スペーサが本係止されてジョイントコネクタの組み立てが完了した状態を示す図である。
【図２０】図１４に示されたジョイントコネクタの分解方法を説明する説明図であり、ジョイントコネクタの分解前の状態を示す図である。
【図２１】図１４に示されたジョイントコネクタの分解方法を説明する説明図であり、図２０に示された各スペーサが本係止状態から仮係止状態に移動される様子を示す図である。
【図２２】図１４に示されたジョイントコネクタの分解方法を説明する説明図であり、図２１に示された２つの分割ハウジング同士が分離された状態を示す図である。
【図２３】図１４に示されたジョイントコネクタの分解方法を説明する説明図であり、図２２に示された一方の分割ハウジング内に係止解除治具が挿入される様子を示す図である。
【図２４】図１４に示されたジョイントコネクタの分解方法を説明する説明図であり、図２３に示された係止解除治具により係止アームの雌端子への係止が解除されて、雌端子が分割ハウジング外に引き抜かれる様子を示す図である。
【図２５】本発明の第４の実施形態にかかるジョイントコネクタを示す斜視図である。
【図２６】図２５中のＡ−Ａ線に沿った断面図である。
【図２７】図２５に示されたジョイントコネクタの分解図である。
【図２８】従来のジョイントコネクタを示す斜視図である。
【図２９】図２８に示されたジョイントコネクタの分解図である。
【発明を実施するための形態】
【００２１】
（第１の実施形態）
本発明の第１の実施形態にかかるジョイントコネクタを図１〜図４を参照して説明する。
【００２２】
図１に示す本発明のジョイントコネクタ１Ａは、複数の電線６（図４を参照。）の端末にそれぞれ取り付けられた複数の雌端子５（図４を参照。）同士を互いに電気接続するものである。このジョイントコネクタ１Ａは、ハウジング２Ａと、このハウジング２Ａに取り付けられる合成樹脂製の一対のスペーサ３と、金属板にプレス加工等が施されることにより得られる２つのバスバ４と、固定手段４３と、を備えている。
【００２３】
上記バスバ４には、図２に示すように、長方形の板状の本体部４１と、該本体部４１の互いに対向する二辺からそれぞれ延設され、各雌端子５と電気接続する複数の雄端子部４２と、が設けられている。複数の雄端子部４２は、棒状に形成されており、互いに間隔をあけて並列に並べられている。また、各雄端子部４２には、上記固定手段としての一対の突起４３が設けられている。
【００２４】
上記ハウジング２Ａは、図２に示すように、同一形状の２つの分割ハウジング２０Ａで構成されている。この分割ハウジング２０Ａは、合成樹脂で構成されている。また、分割ハウジング２０Ａには、複数の雌端子５をそれぞれ収容するとともに雌端子５の幅方向に並んだ複数の端子収容部２１と、各端子収容部２１に収容された各雌端子５の抜け止めをそれぞれ行う複数の係止アームと、複数の端子収容部２１に連通するとともにこれら端子収容部２１と反対側に開口部２３ａが形成され、上記本体部４１の半分を収容するバスバ収容部２３と、上記スペーサ３が挿入される挿入孔２５と、が設けられている。
【００２５】
また、分割ハウジング２０Ａには、雌端子５の幅方向に並んだ複数の端子収容部２１が上下２段に亘って設けられている。また、分割ハウジング２０Ａには、上段の複数の端子収容部２１に連通したバスバ収容部２３と、下段の複数の端子収容部２１に連通したバスバ収容部２３と、が上下２段に亘って設けられている。
【００２６】
上述したバスバ４は、その半分が一方の分割ハウジング２０Ａのバスバ収容部２３及び端子収容部２１に挿入され、残りの半分が他方の分割ハウジング２０Ａのバスバ収容部２３及び端子収容部２１に挿入される。この際、バスバ４は、各開口部２３ａからそれぞれの分割ハウジング２０Ａ内に挿入される。また、２つのバスバ４のうちの１つは、それぞれの分割ハウジング２０Ａの上段のバスバ収容部２３及び端子収容部２１に挿入され、あとの１つは、それぞれの分割ハウジング２０Ａの下段のバスバ収容部２３及び端子収容部２１に挿入される。即ち、２つの分割ハウジング２０Ａは、開口部２３ａ同士が向かい合わせにされた状態でハウジング２Ａを構成する。また、バスバ４は、各雄端子部４２に設けられた一対の突起４３がそれぞれの分割ハウジング２０Ａに係止することによりこれら分割ハウジング２０Ａに取り付けられる。即ち、前記突起４３は、２つの分割ハウジング２０Ａ同士を開口部２３ａ同士を向かい合わせにした状態で固定する。
【００２７】
上記構成のジョイントコネクタ１Ａは、一対のスペーサ３が各分割ハウジング２０Ａの挿入孔２５に挿入され、図３に示すように、バスバ４が２つの分割ハウジング２０Ａ内に収容されてこれら分割ハウジング２０Ａ同士が固定された後、図４に示すように、雌端子５が開口部２３ａと反対側から各分割ハウジング２０Ａの端子収容部２１に挿入されて組立てられる。また、各端子収容部２１に挿入された各雌端子５は、各雄端子部４２と嵌合して該雄端子部４２に電気接続される。即ち、ジョイントコネクタ１Ａは、両方向から雌端子５が挿入される、両挿タイプのジョイントコネクタである。
【００２８】
また、上述した順序で組立てられたジョイントコネクタ１Ａを分解する際は、まず分割ハウジング２０Ａ同士を引っ張るなどして分離させ、棒状の係止解除治具を開口部２３ａからバスバ収容部２３及び端子収容部２１に挿入し、係止解除治具の先端で係止アームを突くことによりこの係止アームの雌端子５への係止を解除して、雌端子５を分割ハウジング２０Ａ外に引き抜く。そして、スペーサ３を分割ハウジング２０Ａから外し、最後にバスバ４を一方または他方の分割ハウジング２０Ａから引き抜く。
【００２９】
このように、本発明のジョイントコネクタ１Ａは、同一形状の２つの分割ハウジング２０Ａと、これら分割ハウジング２０Ａ同士を固定する固定手段、即ちバスバ４の突起４３、とを備えているので、両挿タイプでありながらも特殊な成形金型を必要とせず、製造コストを抑えることができる。また、２つの分割ハウジング２０Ａが同一形状であるので、成形金型の開発コストを抑えることができる。また、本発明のジョイントコネクタ１Ａは、互いに固定された２つの分割ハウジング２０Ａを分離させることができるので、これら分割ハウジング２０Ａとバスバ４とを分離させることができる。さらに、２つの分割ハウジング２０Ａを分離させることで、係止アームの雌端子５への係止を解除する係止解除治具を開口部２３ａから端子収容部２１内に挿入することができるようになり、分割ハウジング２０Ａから雌端子５を容易に引き抜くことができる。よって、安価に製造することができ、容易に分解することができるジョイントコネクタ１Ａを提供することができる。
【００３０】
また、本発明のジョイントコネクタ１Ａは、複数の雄端子部４２それぞれに設けられた固定手段としての突起４３が分割ハウジング２０Ａに係止することにより分割ハウジング２０Ａ同士が固定されるので、簡素な構造とすることができる。
【００３１】
また、図５は、上述した本発明のジョイントコネクタ１Ａの構成部品により構成される他のジョイントコネクタの分解図である。このジョイントコネクタ１０１は、上述した分割ハウジング２０Ａ１つと、２つのバスバ１０４と、を備えている。２つのバスバ１０４は、図６に示すように、上述したバスバ４を点線に沿って切断することにより得られるものである。
【００３２】
上記構成のジョイントコネクタ１０１は、図７に示すように、２分割されたバスバ１０４が、１つの分割ハウジング２０Ａ内に挿入されることで組み立てられる。このジョイントコネクタ１０１は、図８に示すように、雌端子５が開口部２３ａと反対側から端子収容部２１に挿入される。即ち、ジョイントコネクタ１０１は、片側方向のみから雌端子５が挿入されるタイプのジョイントコネクタである。
【００３３】
このように、本発明のジョイントコネクタ１Ａは、他のタイプのジョイントコネクタ１０１を構成することが可能な汎用性の高い部品により構成されている。
【００３４】
（第２の実施形態）
本発明の第２の実施形態にかかるジョイントコネクタを図９〜図１３を参照して説明する。また、図９〜図１３において、前述した第１の実施形態と同一構成部分には同一符号を付して説明を省略する。
【００３５】
上記ジョイントコネクタ１Ｂは、図９及び図１０に示すように、ハウジング２Ｂと、２つのバスバ４と、固定手段４３と、を備えている。
【００３６】
上記ハウジング２Ｂは、図１０に示すように、同一形状の２つの分割ハウジング２０Ｂで構成されている。この分割ハウジング２０Ｂは、合成樹脂で構成されている。また、分割ハウジング２０Ｂには、複数の端子収容部２１と、各端子収容部２１に収容された各雌端子５の抜け止めをそれぞれ行う複数の係止アームと、バスバ収容部２３と、相手の分割ハウジング２０Ｂの一部に重なる断面コ字状のフード２６と、が設けられている。
【００３７】
上記フード２６は、分割ハウジング２０Ｂの開口部２３ａ側の端部に設けられている。このフード２６は、相手の分割ハウジング２０Ｂの開口部２３ａ側の端部に重なる。
【００３８】
このような２つの分割ハウジング２０Ｂは、図１１及び図１２に示すように、バスバ４によって開口部２３ａ同士が向かい合わせにされた状態で固定されて、ハウジング２Ｂを構成する。また、２つの分割ハウジング２０Ｂは、互いに固定された状態で、前述したフード２６が相手の分割ハウジング２０Ｂの開口部２３ａ側の端部に重なる。このことにより、分割ハウジング２０Ｂ同士の合わせ部分がフード２６で完全に覆われる。
【００３９】
上記構成のジョイントコネクタ１Ｂは、前述したジョイントコネクタ１Ａと同様に、図１３に示すように、雌端子５が開口部２３ａと反対側から各分割ハウジング２０Ｂの端子収容部２１に挿入される。
【００４０】
このように、本発明のジョイントコネクタ１Ｂは、２つの分割ハウジング２０Ｂそれぞれに、相手の分割ハウジング２０Ｂの一部に重なるフード２６が設けられているので、これら分割ハウジング２０Ｂ内に異物が入ることを防止できる。
【００４１】
（第３の実施形態）
本発明の第３の実施形態にかかるジョイントコネクタを図１４〜図２４を参照して説明する。また、図１４〜図２４において、前述した第１，第２の実施形態と同一構成部分には同一符号を付して説明を省略する。
【００４２】
上記ジョイントコネクタ１Ｃは、図１４に示すように、ハウジング２Ｃと、このハウジング２Ｃに取り付けられる合成樹脂製の一対のスペーサ１０３と、２つのバスバ４’と、固定手段４２，１３４と、を備えている。
【００４３】
上記バスバ４’は、前記突起４３が設けられていないこと以外は、第１の実施形態で説明したバスバ４と同一の構成である。
【００４４】
上記ハウジング２Ｃは、同一形状の２つの分割ハウジング２０Ｃで構成されている。この分割ハウジング２０Ｃは、合成樹脂で構成されている。また、分割ハウジング２０Ｃには、複数の端子収容部２１と、各端子収容部２１に収容された各雌端子５の抜け止めをそれぞれ行う複数の係止アームと、バスバ収容部２３と、上記スペーサ１０３が挿入される挿入孔１２５と、スペーサ１０３が仮係止する一対の仮係止部２８と、スペーサ１０３が本係止する一対の本係止部２９と、相手の分割ハウジング２０Ｃに取り付けられたスペーサ１０３の後述のロックアーム１３４が係止する係止孔２７と、が設けられている。
【００４５】
また、分割ハウジング２０Ｃには、雌端子５の幅方向に並んだ複数の端子収容部２１が上下２段に亘って設けられている。また、分割ハウジング２０Ｃには、上段の複数の端子収容部２１に連通したバスバ収容部２３と、下段の複数の端子収容部２１に連通したバスバ収容部２３と、が上下２段に亘って設けられている。
【００４６】
上述したバスバ４’は、その半分が一方の分割ハウジング２０Ｃのバスバ収容部２３及び端子収容部２１に挿入され、残りの半分が他方の分割ハウジング２０Ｃのバスバ収容部２３及び端子収容部２１に挿入される。この際、バスバ４’は、各開口部２３ａからそれぞれの分割ハウジング２０Ｃ内に挿入される。即ち、２つの分割ハウジング２０Ｃは、開口部２３ａ同士が向かい合わせにされた状態でハウジング２Ｃを構成する。また、バスバ４’は、各雄端子部４２がそれぞれの分割ハウジング２０Ｃに圧入されることによりこれら分割ハウジング２０Ｃに取り付けられる。即ち、前記雄端子部４２は、２つの分割ハウジング２０Ｃ同士を開口部２３ａ同士を向かい合わせにした状態で固定する。
【００４７】
上記一対のスペーサ１０３は、２つの分割ハウジング２０Ｃにそれぞれ取り付けられて雌端子５の抜け止めを行うものであり、互いに同一形状に形成されている。スペーサ１０３には、上述した下段の複数の端子収容部２１にそれぞれ収容される雌端子５を押さえる押さえ部１３１と、上段の複数の端子収容部２１にそれぞれ収容される雌端子５が通される通し孔１３２と、一対の取付部１３３と、ロックアーム１３４と、が設けられている。
【００４８】
上記一対の取付部１３３は、分割ハウジング２０Ｃの上記一対の仮係止部２８に仮係止し、また、上記一対の本係止部２９に本係止するものである。また、前記「仮係止部２８に仮係止する」とは、本係止部２９に本係止する際よりも小さい係止力で仮係止部２８に係止することを意味する。
【００４９】
上記ロックアーム１３４は、細長い板状に形成され、その先端部に、分割ハウジング２０Ｃの上記係止孔２７に係止する係止突起１３５が設けられている。
【００５０】
このようなスペーサ１０３は、一対の取付部１３３が一方の分割ハウジング２０Ｃの一対の本係止部２９に本係止した状態で、ロックアーム１３４の係止突起１３５が他方の分割ハウジング２０Ｃの係止孔２７に係止する。このことにより、２つの分割ハウジング２０Ｃ同士が固定される。
【００５１】
即ち、ジョイントコネクタ１Ｃにおいては、雄端子部４２とロックアーム１３４との双方が「固定手段」を構成している。
【００５２】
上記構成のジョイントコネクタ１Ｃを組み立てる際は、まず図１５に示すように、各スペーサ１０３の一対の取付部１３３を各分割ハウジング２０Ｃの一対の仮係止部２８に仮係止させる。次に、図１６に示すように、バスバ４’を２つの分割ハウジング２０Ｃ内に収容してこれら分割ハウジング２０Ｃ同士を固定する。次に、図１７に示すように、雌端子５を開口部２３ａと反対側から各分割ハウジング２０Ｃの端子収容部２１に挿入する。次に、図１８に示すように、各スペーサ１０３を各分割ハウジング２０Ｃ側に押し込んで、一対の取付部１３３を各分割ハウジング２０Ｃの一対の本係止部２９に本係止させるとともに、ロックアーム１３４の係止突起１３５を各分割ハウジング２０Ｃの係止孔２７に係止させる。こうして、図１９に示すように、ジョイントコネクタ１Ｃが組み立てられる。
【００５３】
また、上述した順序で組立てられた図２０に示すジョイントコネクタ１Ｃを分解する際は、まず図２１に示すように、各スペーサ１０３を各分割ハウジング２０Ｃから離れる側に押し上げて、一対の本係止部２９に本係止された一対の取付部１３３を一対の仮係止部２８に仮係止させるとともに、ロックアーム１３４の係止突起１３５を係止孔２７から外す。次に、図２２に示すように、分割ハウジング２０Ｃ同士を引っ張るなどして分離させる。そして、図２３に示すように、棒状の係止解除治具８を開口部２３ａからバスバ収容部２３及び端子収容部２１に挿入し、係止解除治具８の先端で係止アームを突くことによりこの係止アームの雌端子５への係止を解除し、図２４に示すように、雌端子５を分割ハウジング２０Ｃ外に引き抜く。そして、スペーサ１０３を分割ハウジング２０Ｃから外し、最後にバスバ４’を一方または他方の分割ハウジング２０Ｃから引き抜く。
【００５４】
このように、本発明のジョイントコネクタ１Ｃは、固定手段として、雄端子部４２とロックアーム１３４とを備えているので、より確実に分割ハウジング２０Ｃ同士を固定することができる。また、一対のスペーサ１０３が同一形状であるので、これらスペーサ１０３の成形金型の開発コストを抑えることができる。
【００５５】
（第４の実施形態）
本発明の第４の実施形態にかかるジョイントコネクタを図２５〜図２７を参照して説明する。また、図２５〜図２７において、前述した第１〜第３の実施形態と同一構成部分には同一符号を付して説明を省略する。
【００５６】
上記ジョイントコネクタ１Ｄは、図２５及び図２７に示すように、ハウジング２Ｄと、一対のスペーサ３と、２つのバスバ４’と、固定手段としての雄端子部４２と、固定手段としてのパネルクランプ９と、を備えている。また、固定手段としての雄端子部４２については、第３の実施形態と同じ構成であるので説明を省略する。
【００５７】
上記ハウジング２Ｄは、同一形状の２つの分割ハウジング２０Ｄで構成されている。この分割ハウジング２０Ｄは、合成樹脂で構成されている。また、分割ハウジング２０Ｄには、複数の端子収容部２１と、各端子収容部２１に収容された各雌端子５の抜け止めをそれぞれ行う複数の係止アームと、バスバ収容部２３と、パネルクランプ９の後述の板部９１を内側に位置付けて位置決めするコ字状の枠部１１と、枠部１１に連なり、分割ハウジング２０Ｄの外壁との間に前記板部９１を位置付ける重なり部１２と、この重なり部１２の表面から分割ハウジング２０Ｄの外壁側に突出した凸部１３（図２６を参照。）と、が設けられている。
【００５８】
上記パネルクランプ９は、ハウジング２Ｄをパネル等に固定するものであり、板状に形成された板部９１と、前記パネル等の穴に圧入係止される圧入部９３と、を備えている。前記板部９１の両端部には、一方の分割ハウジング２０Ｄの凸部１３に係止する第１係止部９２ａ、及び、他方の分割ハウジング２０Ｄの凸部１３に係止する第２係止部９２ｂが設けられている。また、第１係止部９２ａ及び第２係止部９２ｂは、板部９１を貫通した貫通穴である。前記圧入部９３は、板部９１から棒状に立設した立設部９４と、立設部９４の先端から板部９１側に延びた一対の弾性変形片９５と、で構成されている。この圧入部９３は、一対の弾性変形片９５が弾性変形することでパネル等の穴に圧入され、この一対の弾性変形片９５が変形前の状態に復元することにより前記パネル等の穴に取り付けられる。
【００５９】
このようなパネルクランプ９は、図２６に示すように、板部９１が各分割ハウジング２０Ｄの枠部１１の内側に位置付けられるとともに各分割ハウジング２０Ｄの外壁と各重なり部１２との間に位置付けられ、第１係止部９２ａ及び第２係止部９２ｂが各分割ハウジング２０Ｄの凸部１３に係止することにより、分割ハウジング２０Ｄ同士を固定する。
【００６０】
このように、本発明のジョイントコネクタ１Ｄは、固定手段として、雄端子部４２とパネルクランプ９とを備えているので、より確実に分割ハウジング２０Ｄ同士を固定することができる。
【００６１】
なお、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【００６２】
１Ａ，１Ｂ，１Ｃ，１Ｄ  ジョイントコネクタ
２Ａ，２Ｂ，２Ｃ，２Ｄ  ハウジング
４，４’  バスバ
５  雌端子
９  パネルクランプ（固定手段）
２０Ａ，２０Ｂ，２０Ｃ，２０Ｄ  分割ハウジング
２１  端子収容部
２３  バスバ収容部
２３ａ  開口部
４１  本体部
４２  雄端子部（固定手段）
４３  突起（固定手段）
１３４  ロックアーム（固定手段）
【図１】
2012099249.tif 000003
【図２】
2012099249.tif 000004
【図３】
2012099249.tif 000005
【図４】
2012099249.tif 000006
【図５】
2012099249.tif 000007
【図６】
2012099249.tif 000008
【図７】
2012099249.tif 000009
【図８】
2012099249.tif 000010
【図９】
2012099249.tif 000011
【図１０】
2012099249.tif 000012
【図１１】
2012099249.tif 000013
【図１２】
2012099249.tif 000014
【図１３】
2012099249.tif 000015
【図１４】
2012099249.tif 000016
【図１５】
2012099249.tif 000017
【図１６】
2012099249.tif 000018
【図１７】
2012099249.tif 000019
【図１８】
2012099249.tif 000020
【図１９】
2012099249.tif 000021
【図２０】
2012099249.tif 000022
【図２１】
2012099249.tif 000023
【図２２】
2012099249.tif 000024
【図２３】
2012099249.tif 000025
【図２４】
2012099249.tif 000026
【図２５】
2012099249.tif 000027
【図２６】
2012099249.tif 000028
【図２７】
2012099249.tif 000029
【図２８】
2012099249.tif 000030
【図２９】
2012099249.tif 000031